(57)【要約】      （修正有）【課題】所要の周方向寸法に適した結束を行う締め付けバンド装着装置を提供する。【解決手段】ケーブル１４などの束のまわりに締付バンド１２を装着するための手動式自己作動装置１０は、ケーブル１４の束のまわりにバンド１２によって形成されるループの所定の周方向寸法を装置１０のユーザが選択することができるようにする指令インタフェース４２を備えている。電子ユニット４０が、指令インタフェース４２を使用して選択された所定の周方向寸法に応じて、張力装置３８および切断装置５２に指令を出す。本発明は、装置１０に指令を出す方法にも関する。【選択図】図１
2019089601.tif 000002
【特許請求の範囲】
【請求項１】
ケーブル（１４）などの束のまわりに締付バンド（１２）を装着するための手動式自己作動装置（１０）であって、
前記ケーブル（１４）の束のまわりで閉じられたループに前記バンド（１２）を形成する装着集積機構（３０）と、
前記ケーブル（１４）の束のまわりに前記バンド（１２）を締める張力装置（３８）と、
前記ケーブル（１４）の束のまわりに前記バンド（１２）を締めた後の前記バンド（１２）の未使用部分のための切断装置（５２）と、
前記装着機構（３０）と前記張力装置（３８）と前記切断装置（５２）とに指令を出す電子ユニット（４０）と、
前記ケーブル（１４）の束のまわりに前記バンド（１２）によって形成される前記ループの所定の周方向寸法（Ｄｎ）を前記装置（１０）のユーザが選択することができるようにする指令インタフェース（４２）と
を備え、
前記電子ユニット（４０）は、前記指令インタフェース（４２）を使用して選択された前記所定の周方向寸法（Ｄｎ）に応じて、前記張力装置（３８）および前記切断装置（５２）に指令を出す
装置。
【請求項２】
請求項１に記載の装置（１０）であって、
前記張力装置（３８）は、前記バンド（１２）のストラップを締め方向に送るために設けられるとともに回転エンコーダ（５０）を有する歯車（４８）を備え、
前記電子ユニット（４０）は、前記回転エンコーダ（５０）によって供給される信号に応じて前記所定の周方向寸法（Ｄｎ）に到達したことを判定する
【請求項３】
ケーブル（１４）などの束のまわりに締付バンド（１２）を装着するための手動式自己作動装置（１０）に指令を出す方法であって、
ａ）装着集積機構（３０）によって前記ケーブル（１４）の束のまわりで閉じられたループに前記バンド（１２）を位置決めする工程と、
ｂ）張力装置（３８）によって前記ケーブル（１４）の束のまわりに前記バンド（１２）を締める工程と、
ｃ）前記ケーブル（１４）の束のまわりに前記バンド（１２）を締めた後に、切断装置（５２）によって前記バンド（１２）の未使用部分を切断する工程と、
ａ１）前記位置決め工程ａ）の前に、前記ケーブル（１４）の束のまわりの前記バンド（１２）によって形成される前記ループの所定の周方向寸法（Ｄｎ）を前記装置（１０）のユーザが選択することができるようにする選択工程と
を備え、
前記工程ｃ）の間において、前記切断装置（５２）は、前記工程ａ１）で選択された前記周方向寸法（Ｄｎ）に応じて指令を出される
指令を出す方法。
【請求項４】
請求項３に記載の指令を出す方法であって、
前記工程ａ１）の間において、前記選択された周方向寸法（Ｄｎ）は、前記張力装置（３８）の駆動回転要素（４８）の所定の回転数に関連付けられ、
前記切断工程ｃ）は、前記駆動回転要素（４８）が前記所定の回転数に達したときに実施される
指令を出す方法。
【請求項５】
請求項３または請求項４に記載の指令を出す方法であって、
前記選択工程ａ１）は、少なくとも５つの所定の周方向寸法のうちから周方向寸法（Ｄｎ）を選択する工程を備える
指令を出す方法。
【発明の詳細な説明】
【技術分野】
【０００１】
本発明は、締付バンドを装着するための手動式自己作動装置、および、そのような装置に指令を出す方法に関する。
【背景技術】
【０００２】
ストラップ、および、キャッチハウジング型（ケーブルタイとも称される）の締付バンドを装着するための手動式自己作動装置が既に公知である。そのような装置は、特に、特許出願ＷＯ２０１５／０６７４４４に開示されている。そのような装置は、締付バンドのストラップをケーブルなどの束に対して締め付け、次いで、締付ストラップの無駄な部分を切断するために提供される。この装置および、その張力装置が、締付バンドがケーブル等の束に対して十分な締め付け力を作用させていることを表す所定の張力を検出すると、張力装置は停止され、切断装置は、締付バンドのストラップを切断することを妨げる。
【０００３】
この種の装置は、全ての用途に適しているわけではない。なぜなら、既存の装置に対する改善をもたらすためにニーズが生じるからである。
【発明の概要】
【課題を解決するための手段】
【０００４】
したがって、本発明は、既存の装置に対する改善を提供することを提案する。この目的のために、本発明は、ケーブル等の束のまわりに締付バンドを装着するための手動式自己作動装置を提案する。この装置は、
−ケーブルの束のまわりに閉じられたループでバンドを形成する装着集積機構と、
−ケーブルの束のまわりにバンドを締める張力装置と、
−ケーブルの束のまわりにバンドを締めた後にバンドの使用されていない部分のための切断装置と、
−装着機構と張力装置と切断装置とに指令を出す電子ユニットと
を備えている。
【０００５】
この装置は、装置のユーザがケーブル束のまわりのバンドによって形成されるループの所定の周方向寸法を選択することができるようにする指令インタフェースを備えている点、および、電子ユニットが、指令インタフェースによって選択された所定の周方向寸法に応じて張力装置および切断装置に指令を出す点において、特徴付けられる。
【０００６】
他の有利な特徴によれば、張力装置は、バンドのストラップを締め方向に駆動させるために設けられる歯車を備えている。歯車は、回転エンコーダを備えている。電子ユニットは、回転エンコーダによって供給される信号に応じて、所定の周方向寸法に達していることを判定する。
【０００７】
本発明は、さらに、ケーブル等の束のまわりに締付バンドを装着するための手動式自己作動装置に指令を出す方法を提案する。この方法は、
ａ）装着集積機構によってケーブルの束のまわりで閉じられたループにバンドを位置決めする工程と、
ｂ）張力装置によってケーブルの束のまわりにバンドを締める工程と、
ｃ）ケーブルの束のまわりにバンドを締めた後に、切断装置によってバンドの使用されていない部分を切断する工程と
を備えており、
上記位置決め工程ａ）の前に、装置のユーザがケーブルの束のまわりのバンドによって形成されるループの所定の周方向寸法を選択することができるようにする選択工程ａ１）を備える点と、
上記工程ｃ）の間に、切断装置は、上記工程ａ１）で選択された周方向寸法に応じて指令を出される点と
において特徴付けられる。
【０００８】
本発明の有利な特徴によれば、工程ａ１）の間に、選択された周方向寸法は、張力装置の駆動回転要素の所定の回転数に関連付けられ、切断工程ｃ）は、駆動回転要素が所定の回転数に達したときに実施される。
【０００９】
他の有利な特徴によれば、選択工程ａ１）は、少なくとも５つの所定の周方向寸法のうちから周方向寸法を選択する工程を備えている。
【００１０】
本発明の他の特徴、目的および利点は、非限定的な例として与えられる添付図面を参照して次の詳細な説明を読めば、明らかになるであろう。
【図面の簡単な説明】
【００１１】
【図１】本発明の教示にしたがった、締付バンドを装着するための手動式自己作動装置を概略的に示す側面図である。
【図２】周方向寸法が低減された５つの締付バンドを概略的に示す側面図である。
【図３】周方向寸法が低減された５つの締付バンドを概略的に示す側面図である。
【図４】周方向寸法が低減された５つの締付バンドを概略的に示す側面図である。
【図５】周方向寸法が低減された５つの締付バンドを概略的に示す側面図である。
【図６】周方向寸法が低減された５つの締付バンドを概略的に示す側面図である。
【発明を実施するための形態】
【００１２】
図１は、ケーブル１４の束のまわりに締付バンド１２を装着するための手動式自己作動装置１０を示している。勿論、これは、他のタイプの束のまわり、または、他の物体（例えば、装置１０のスパンと互換性を有する寸法の、１つ以上のチューブ、または、より線）のまわりに締付バンド１２を取り付けるのにも使用できる。
【００１３】
締付バンド１２は、典型的には、可撓性を有するプラスチックから製造されたストラップ１６またはストリップから形成されており、戻り防止キャッチハウジング１８を自由端のところに備えている。ストラップ１６は、少なくとも１つの面において、キャッチハウジング１８のキャッチと協働するために設けられた、のこぎり歯形状の突出部を備えている。
【００１４】
図示される実施形態によれば、装置１０は、バンド装着動作を開始するためのスイッチまたはトリガ２４を有するピストルのつかみ部の形態のハンドル２２を備えるケーシング２０を備えている。ケーシング２０は、好ましくは、締付バンド１２の予備を、それらが装着される前に収容するために設けられた取り外し可能なマガジン２６と、締付バンド１２の切断された端部を、それらがケーブル１４の束に装着された後に受け取るために設けられた容器２８と、を備えている。
【００１５】
締付バンド１２を装着可能にするために、装置１０は、装着集積機構３０すなわち位置決め装置を備えている。概略的に図示された例では、装着機構３０は、締付バンド１２をマガジン２６から２つの枢動顎部３４，３６に向けて送るために設けられた供給装置３２を備えている。枢動顎部３４，３６は、ケーブル１４の束のまわりに締付バンド１２のループを形成するために使用される。装着機構３０は、さらに、ケーブル１４の束のまわりにおいて締付バンド１２の自由端をキャッチハウジング１８の出口のところで締め方向に送る張力装置３８を備えている。
【００１６】
装置１０は、トリガ２４によって与えられる信号に応じて、また、指令インタフェース４２のおかげでオペレータによって入力される設定に応じて、適切な態様で装着機構３０に指令を出す電子ユニット４０を備えている。指令インタフェース４２は、例えば、表示スクリーン４４と指令ボタン４６とを備えている。
【００１７】
装置１０は、さらに、電気供給システム（図示せず）を備えている。
【００１８】
張力装置３８は、この場合、締付バンド１２の歯部を締め方向に送るように当該歯部と噛み合うように設けられた歯車４８を備えている。
【００１９】
有利には、歯車４８は、歯車４８と噛み合っている歯数を間接的に数えることが可能な回転エンコーダ５０を備えている。このため、締付バンド１２のうちの、キャッチハウジング１８の出口のところで引っ張り出された自由部分の歯数を判定することによって、ケーブル１４の束のまわりに留まっている外周を非常に正確に決定することが可能である。
【００２０】
回転エンコーダ５０は、電子ユニット４０に接続され、それによって、電子ユニット４０は、回転エンコーダ５０からの信号に応じて歯車４８の回転を正確に指令することができる。
【００２１】
有利には、装置１０は、適切な外周を有するループがケーブル１４の束のまわりに形成された後で、ちょうどキャッチハウジング１８の出口のところで締付バンド１２のストラップを切断するための切断装置５２を備えている。したがって、切断装置５２は、締付バンド１２の未使用部分を除去することができる。
【００２２】
本発明による装置１０によって、オペレータは、指令インタフェース４２を使用して締付バンド１２によって形成されるループの所定の周方向寸法Ｄｎを選択することができる。装置１０は、例えば、図２〜図６にそれぞれ示される５つの所定の周方向寸法Ｄｎを可能にするようにプログラムされ得る。オペレータによって選択される周方向寸法Ｄｎに応じて、電子ユニット４０は、回転エンコーダ５０によって検出される所定の歯数まで、歯車４８の回転および切断装置５２を統制する。
【００２３】
このようにして、切断装置５２は、形成されたループが、オペレータによって選択された周方向寸法Ｄｎに達したときに、回転エンコーダ５０によって供給される信号に応じて指令を受けて、締付バンド１２の自由端を正確に切断することができる。
【００２４】
例示目的で、図２〜６は、本発明にしたがって装置１０によって取得される締付バンド１２の５つの所定の周方向寸法Ｄｎを概略的に示している。
【００２５】
このように、装置１０によって、ケーブル１４の束に所定の安定した締め付け力を加える締付バンド１２を得ることができる。
【００２６】
上述した装置１０に指令を出す方法について以下に説明する。この方法は、特に、次の工程を備えており、これらの工程は、この順序で実施される。
ａ１）ケーブル１４の束のまわりを締めた後に締付バンド１２によって形成されるループの所定の周方向寸法を装置のユーザが選択することを可能にする指令インタフェース４２によって所定の周方向寸法Ｄｎを選択する工程。
ａ）装着機構３０によって、ケーブル１４の束のまわりで閉じられたループで締付バンド１２を位置決めする工程
ｂ）張力装置３８によって、ケーブル１４の束のまわりにバンド１２を締める工程
ｃ）工程ａ１）で選択された周方向寸法Ｄｎに応じてケーブル１４の束のまわりに締付バンド１２を締め付けた後で、切断装置５２によってバンド１２の未使用部分を切断する工程。
【００２７】
好ましくは、工程ａ１）の間、選択された周方向寸法Ｄｎは、歯車４８の所定の回転数に関連付けられる。したがって、工程ｃ）の間、選択された周方向寸法Ｄｎに対応する所定の回転数に歯車４８が達したときに、バンド１２の未使用部分は切断される。この所定の回転数は、回転エンコーダ５０を使用して電子ユニット４０によって検出される。
【図１】
2019089601.tif 000003
【図２】
2019089601.tif 000004
【図３】
2019089601.tif 000005
【図４】
2019089601.tif 000006
【図５】
2019089601.tif 000007
【図６】
2019089601.tif 000008
【外国語明細書】
2019089601000001.pdf